(57)【特許請求の範囲】
【請求項１】
原稿画像を読み取る原稿読取手段と、
この原稿読取手段から転送される画像データをメモリバッファに格納する格納手段と、
このメモリバッファから出力する際の画像データ転送を制御する転送手段と、
前記メモリバッファの残量を検知する残量検知手段と、
前記メモリバッファの残量がニアフル検知の設定値に達した時に前記原稿読取手段による原稿の読み取りを停止するとともに前記転送手段による画像データ転送を継続し、前記メモリバッファの残量がニアフル解除の設定値に達した時に前記原稿読取手段による原稿の読み取りを開始する制御手段とを備え、
前記メモリバッファのニアフル検知およびニアフル解除の設定値を読み取りパラメータにより指定することを特徴とした画像読取システム。
【請求項２】
原稿画像を読み取る原稿読取手段と、
この原稿読取手段から転送される画像データをメモリバッファに格納する格納手段と、
このメモリバッファから出力する際の画像データ転送を制御する転送手段と、
前記メモリバッファの残量を検知する残量検知手段と、
前記メモリバッファの残量がニアフル検知の設定値に達した時に前記原稿読取手段による原稿の読み取りを停止するとともに前記転送手段による画像データ転送を継続し、前記メモリバッファの残量がニアフル解除の設定値に達した時に前記原稿読取手段による原稿の読み取りを開始する制御手段とを備え、
前記メモリバッファのニアフル検知およびニアフル解除の設定値を読み取り幅データ数により指定することを特徴とした画像読取システム。
【請求項３】
原稿画像を読み取る原稿読取手段と、
この原稿読取手段から転送される画像データをメモリバッファに格納する格納手段と、
このメモリバッファから出力する際の画像データ転送を制御する転送手段と、
前記メモリバッファの残量を検知する残量検知手段と、
前記メモリバッファの残量がニアフル検知の設定値に達した時に前記原稿読取手段による原稿の読み取りを停止するとともに前記転送手段による画像データ転送を継続し、前記メモリバッファの残量がニアフル解除の設定値に達した時に前記原稿読取手段による原稿の読み取りを開始する制御手段とを備え、
前記メモリバッファのニアフル検知およびニアフル解除の設定値を読み取り密度により指定することを特徴とした画像読取システム。
【請求項４】
原稿画像を読み取る原稿読取手段と、
この原稿読取手段から転送される画像データをメモリバッファに格納する格納手段と、
このメモリバッファから出力する際の画像データ転送を制御する転送手段と、
前記メモリバッファの残量を検知する残量検知手段と、
前記メモリバッファの残量がニアフル検知の設定値に達した時に前記原稿読取手段による原稿の読み取りを停止するとともに前記転送手段による画像データ転送を継続し、前記メモリバッファの残量がニアフル解除の設定値に達した時に前記原稿読取手段による原稿の読み取りを開始する制御手段とを備え、
前記メモリバッファのニアフル検知およびニアフル解除の設定値を読み取りモードにより指定することを特徴とした画像読取システム。
【請求項５】
原稿画像を読み取る原稿読取手段と、
この原稿読取手段から転送される画像データをメモリバッファに格納する格納手段と、
このメモリバッファから出力する際の画像データ転送を制御する転送手段と、
前記メモリバッファの残量を検知する残量検知手段と、
前記メモリバッファの残量がニアフル検知の設定値に達した時に前記原稿読取手段による原稿の読み取りを停止するとともに前記転送手段による画像データ転送を継続し、前記メモリバッファの残量がニアフル解除の設定値に達した時に前記原稿読取手段による原稿の読み取りを開始する制御手段とを備え、
前記メモリバッファのニアフル検知およびニアフル解除の設定値を読み取りイメージコンポジションにより指定することを特徴とした画像読取システム。
【請求項６】
外部装置との通信にＳＣＳＩを用いることを特徴とした請求項１、請求項２、請求項３、請求項４、または請求項５記載の画像読取システム。
【発明の詳細な説明】
【０００１】
【発明の属する技術分野】
本発明は、原稿を読み取った画像データを一旦メモリバッファに格納しながら外部装置に画像データを転送する画像読取システムに関する。
【０００２】
【従来の技術】
一般に、画像読取装置から外部装置への画像データ転送は、以下のような手順で行なわれている。
▲１▼画像読取装置で読み取った画像データをＤＲＡＭ等のメモリに格納する。
▲２▼このＤＲＡＭ等のメモリから、外部装置に画像データの転送をする。
▲２▼の動作は、▲１▼の動作と同時に行える。
ここで、▲１▼のメモリに画像データを格納するスピードと▲２▼の画像データを転送するスピードとには、速度の差があり、転送のスピードが遅いとき、もしくは高密度で読み取りを行なうと、メモリに徐々に画像データ溜まっていくことになる。ＤＲＡＭ等のメモリの容量には、所定の限度があるので、あるところで読み取りを一時停止させなければならなくなる。
【０００３】
ところで、読取装置のモーター制御は、ステッピングモーターが多く使われている。このモーターは、性質上瞬時に止めることはできないため、スルーダウンと呼ばれる徐々に速度を落として停止する方法が用いられる。この状態では、メモリに溜まった画像データは徐々に減少していくことになる。よって、メモリが空になるぎりぎりで、読み取り動作の再スタートをかけると、モーターの性質上瞬時に動かすことはできない。
【０００４】
【発明が解決しようとする課題】
そのため、スルーアップと呼ばれる徐々に速度を上げていく方法が用いられるので、メモリに格納するスピードより転送するスピードの方が相対的に早くなるので、一旦データ転送が停止してしまう。この現象が１回の読み取り中に何回も発生することがあるので、トータルでの画像転送時間が長くなってしまう。
一方、余裕を持ち過ぎて読み取り動作の再スタートをかけると、メモリが効率良く使われず、モーターの停止および再起動の回数が増えてしまう。また、定速で読み取った方が、スルーダウンおよびスルーアップ時より画質は良いので、モーターの停止および再起動の回数が増すと、画像の質は劣化してしまうことにもなる。
【０００５】
そこで、本発明の第１の目的は、メモリバッファのニアフル解除設定量を読み取りパラメータにより指定することにより、一時読み取り停止動作を減らし、画像品質を向上させた画像読取システムを提供することである。
本発明の第２の目的は、メモリバッファのニアフル解除設定量を読み取り幅データ数（ｗｉｄｔｈ）により指定することにより、一時読み取り停止動作を減らし、画像品質を向上させた画像読取システムを提供することである。
【０００６】
本発明の第３の目的は、メモリバッファのニアフル解除設定量を読み取り密度（ｄｐｉ）により指定することにより、一時読み取り停止動作を減らし、画像品質を向上させた画像読取システムを提供することである。
本発明の第４の目的は、メモリバッファのニアフル解除設定量を読み取りモード（ＡＤＦ，Ｆｌａｔｂｅｄ）により指定することにより、一時読み取り停止動作を減らし、画像品質を向上させた画像読取システムを提供することである。
本発明の第５の目的は、メモリバッファのニアフル解除設定量を読み取りイメージコンポジション（２値、多値）により指定することにより、一時読み取り停止動作を減らし、画像品質を向上させた画像読取システムを提供することである。
本発明の第６の目的は、汎用インターフェースを使用することにより多くの外部装置に接続することができる画像読取システムを提供することである。
【０００７】
【課題を解決するための手段】
請求項１記載の発明では、画像読取システムが、原稿画像を読み取る原稿読取手段と、この原稿読取手段から転送される画像データをメモリバッファに格納する格納手段と、このメモリバッファから出力する際の画像データ転送を制御する転送手段と、前記メモリバッファの残量を検知する残量検知手段と、前記メモリバッファの残量がニアフル検知の設定値に達した時に前記原稿読取手段による原稿の読み取りを停止するとともに前記転送手段による画像データ転送を継続し、前記メモリバッファの残量がニアフル解除の設定値に達した時に前記原稿読取手段による原稿の読み取りを開始する制御手段とを備え、前記メモリバッファのニアフル検知およびニアフル解除の設定値を読み取りパラメータにより指定することにより前記第１の目的を達成する。
【０００８】
請求項２記載の発明では、画像読取システムが、原稿画像を読み取る原稿読取手段と、この原稿読取手段から転送される画像データをメモリバッファに格納する格納手段と、このメモリバッファから出力する際の画像データ転送を制御する転送手段と、前記メモリバッファの残量を検知する残量検知手段と、前記メモリバッファの残量がニアフル検知の設定値に達した時に前記原稿読取手段による原稿の読み取りを停止するとともに前記転送手段による画像データ転送を継続し、前記メモリバッファの残量がニアフル解除の設定値に達した時に前記原稿読取手段による原稿の読み取りを開始する制御手段とを備え、前記メモリバッファのニアフル検知およびニアフル解除の設定値を読み取り幅データ数により指定することにより前記第２の目的を達成する。
【０００９】
請求項３記載の発明では、画像読取システムが、原稿画像を読み取る原稿読取手段と、この原稿読取手段から転送される画像データをメモリバッファに格納する格納手段と、このメモリバッファから出力する際の画像データ転送を制御する転送手段と、前記メモリバッファの残量を検知する残量検知手段と、前記メモリバッファの残量がニアフル検知の設定値に達した時に前記原稿読取手段による原稿の読み取りを停止するとともに前記転送手段による画像データ転送を継続し、前記メモリバッファの残量がニアフル解除の設定値に達した時に前記原稿読取手段による原稿の読み取りを開始する制御手段とを備え、前記メモリバッファのニアフル検知およびニアフル解除の設定値を読み取り密度により指定することことにより前記第３の目的を達成する。
【００１０】
請求項４記載の発明では、画像読取システムが、原稿画像を読み取る原稿読取手段と、この原稿読取手段から転送される画像データをメモリバッファに格納する格納手段と、このメモリバッファから出力する際の画像データ転送を制御する転送手段と、前記メモリバッファの残量を検知する残量検知手段と、前記メモリバッファの残量がニアフル検知の設定値に達した時に前記原稿読取手段による原稿の読み取りを停止するとともに前記転送手段による画像データ転送を継続し、前記メモリバッファの残量がニアフル解除の設定値に達した時に前記原稿読取手段による原稿の読み取りを開始する制御手段とを備え、前記メモリバッファのニアフル検知およびニアフル解除の設定値を読み取りモードにより指定することにより前記第４の目的を達成する。
【００１１】
請求項５記載の発明では、画像読取システムが、原稿画像を読み取る原稿読取手段と、この原稿読取手段から転送される画像データをメモリバッファに格納する格納手段と、このメモリバッファから出力する際の画像データ転送を制御する転送手段と、前記メモリバッファの残量を検知する残量検知手段と、前記メモリバッファの残量がニアフル検知の設定値に達した時に前記原稿読取手段による原稿の読み取りを停止するとともに前記転送手段による画像データ転送を継続し、前記メモリバッファの残量がニアフル解除の設定値に達した時に前記原稿読取手段による原稿の読み取りを開始する制御手段とを備え、前記メモリバッファのニアフル検知およびニアフル解除の設定値を読み取りイメージコンポジションにより指定するにより前記第５の目的を達成する。
【００１２】
請求項６記載の発明では、請求項１ないし請求項５記載の画像読取システムにおいて、外部装置との通信にＳＣＳＩを用いることにより前記第６の目的を達成する。
【００１３】
【発明の実施の形態】
以下、本発明の好適な実施の形態を図１ないし図４を参照して詳細に説明する。
図１は、本発明に好適な実施の形態に係る画像読取装置の全体構成を示す図である。
まず、原稿台ガラス１上に置かれた原稿は、第１ミラー２と一体に構成された照明ランプ３により照射され、その反射光は、第１ミラー２及び一体に構成された第２ミラー４、第３ミラー５で走査される。その後反射光は、レンズ３８により集束され、ＣＣＤ（光電変換素子）６に照射され光電変換される。
第１ミラー２、照明ランプ３及び第２ミラー４、第３ミラー５は、走行体モーター７を駆動源として、Ａ方向に移動可能となっている。
原稿トレイ８に積載された原稿は、ピックアップローラー９、レジストローラー対１０、搬送ドラム１１、搬送ローラー１２により読取位置Ｂを経て、排紙ローラー対１３、１４へ送り込まれ、排紙トレイ１５上に排出される。
【００１４】
原稿は、読取位置Ｂを通過する際に、読取位置Ｂ近傍に移動されている照明ランプ３により照射され、その反射光は、第１ミラー２及び一体に構成された第２ミラー４、第３ミラー５で走査される。その後反射光は、レンズ３８により集束され、ＣＣＤ６に照射され光電変換される。
ピックアップローラー９、レジストローラー対１０は、給紙モーター（図示せず）により駆動され、搬送ドラム１１、搬送ローラー１２、排紙ローラー対１３、１４は、搬送モーター１６により駆動される。
【００１５】
図２は、本発明の実施の形態に係る画像読取装置のブロック図である。
ＳＢＵ（Ｓｅｎｓｅｒ  Ｂｏａｒｄ  Ｕｎｉｔ）  １７上のＣＣＤ６に入光した原稿の反射光は、このＣＣＤ６内で光の強度に応じた電圧値を持つアナログ信号に変換される。アナログ信号は、奇数ビットと偶数ビットに分かれて出力される。
上記アナログ画像信号は、ＭＢＵ（Ｍｏｔｈｅ  Ｂｏａｒｄ  Ｕｎｉｔ）１８上のＡＨＰ（Ａｎａｌｏｇｕｅ  ｄａｔｅ  Ｈａｎｄｌｉｎｇ  Ｕｎｉｔ）  １９で暗電位部分が取り除かれ、奇数ビットと偶数ビットが合成され、所定の振幅にゲイン調整された後にＡ／Ｄコンバータに入力されディジタル信号化される。ディジタル化された画像信号は、ＳＣＵ（Ｓｃａｎｎｅｒ  Ｃｏｎｔｒｏｌ  Ｕｎｉｔ）２０上のＳＩＰ３（Ｓｃａｎｎｅｒ  Ｉｍａｇｅ  Ｐｅｒｉｐｈｅｒａｌ）（２１）で、シェーディング補正、ガンマ補正、ＭＴＦ補正等が行なわれた後、２値化され、ページ同期信号、ライン同期信号、画像クロックとともにビデオ信号として出力される。
【００１６】
ＳＩＰ３（２１）から出力されたビデオ信号は、コネクタ２９を介してＩＥＵ（Ｉｍａｇｅ  Ｅｎｈａｎｃｅ  Ｐｅｒｉｐｈｅｒａｌ）２８へ出力されている。ＩＥＵ２８へ出力されたビデオ信号は、このＩＥＵ２８内で所定の画像処理が行なわれ、再びＳＣＵ２０へ入力される。そして、再びＳＣＵ２０へ入力されたビデオ信号は、セレクタ３０に入力される。セレクタ３０のもう一方の入力はＳＩＰ３（２１）から出力されたビデオ信号となっていて、ＩＥＵ２８で画像処理するかしないかを選択できる構成となっている。
セレクタ３０の出力は、セレクタ３１に入力される。このセレクタ３１のもう一方の入力は、ＲＣＵ（Ｒｅｖｅｒｓｅ  Ｓｉｄｅ  Ｃｏｎｔｒｏｌ  Ｕｎｉｔ）  ３２からのビデオ信号となっており、原稿の読み取り面を選択できる構成になっている。
【００１７】
ＲＣＵ３２は、原稿の両面を同時に読みとる際に、原稿の裏側読み取りを制御するユニットである。ＲＣＵ３２は、ＳＣＵ２０内のＣＰＵ（  中央処置装置）  ２５によりシリアル通信で制御され、読みとった裏面画像データをビデオ信号としてＭＢＵ１８経由でＳＣＵ２０に転送する。
セレクタ３１からのビデオ信号出力は、セレクタ３２とコネクタ３３に接続されている。セレクタ３２のもう一方の入力は、ビデオアダプタ３９からのビデオ信号となっている。
以上の構成により、コネクタ３３の先にビデオアダプタ３９の接続が可能となる。セレクタ３２のビデオ信号出力は、ＳＢＣ２２に入力される。
以上の経路を経て、ＳＩＰ３（２１）から出力されたビデオ信号は、ＤＲＡＭを管理するＳＢＣ２２に入力され、ＳＩＭＭ（Ｓｉｎｇｌｅ  Ｉｎｌｉｎｅ  Ｍｅｍｏｒｙ  Ｍｏｄｕｌｅ）  ２３を含めてＤＲＡＭから構成される画像メモリに蓄えられる。
【００１８】
画像メモリに蓄えられた画像データは、セレクタ３４及びコネクタ３５に接続されている。コネクタ３５には、ＤＣＵ３６（Ｄａｔａ  Ｃｏｍｐｒｅｓｓｉｏｎ  Ｕｎｉｔ）  が接続されており、ＤＣＵ３６は入力された画像データを圧縮する。ＤＣＵ３６により圧縮された画像データは、セレクタ３４のもう一方の入力となり、画像データを圧縮するかしないかを選択できる構成となっている。セレクタ３４の画像データ出力は、ＳＣＳＩコントローラー２４を介してホストコンピュータに送られる。
ＳＣＵ２０上には、ＣＰＵ２５、ＲＯＭ（  リード・オンリ・メモリ）  ２６、ＲＡＭ（  ランダム・アクセス・メモリ）  ２７が実装されており、ＳＣＳＩコントローラー２４を制御してホストコンピュータとの通信を行なうようになっている。
【００１９】
また、ＣＰＵ２５は、ステッピングモーターである走行体モーター７、給紙モーター、搬送モーター１６のタイミング制御も行なっている。
ＡＤＵ（Ａｄｆ  Ｄｒｉｖｉｎｇ  Ｕｎｉｔ）３７は、自動原稿搬送機構（ＡＤＦ）部に用いる電装部品の電力供給を中継する機能を有する。
ＳＢＣ（Ｓｃａｎ  Ｂｕｆｆｅｒ  Ｃｏｎｔｒｏｌｌｅｒ）２２の主要機能としては、画像処理プロセッサから転送されるスキャンデータ（Ｖｉｄｅｏデータ）をメモリバッファ（ＤＲＡＭ）に格納、またはメモリバッファから  ＳＣＳＩコントローラ２４に出力する際のデータ転送制御を行なっている。
【００２０】
次に、図３を参照して本実施の形態におけるニアフル検出とニアフル解除の処理を説明する。
メモリバッファの残量検知を行ない、メモリバッファが以下の状態になると割り込みを発生する。
（１）メモリバツファの残量が指定量に達した時（ニアフル検出）。
（２）メモリバッファニアフル検出後、メモリバッファの残量が解除指定量に復帰した時（ニアフル解除検出）。
（３）メモリバッファ残量がゼロになり、メモリフルオーバーフローが発生した時（フル検出）。
このニアフル検知と、ニアフル解除の設定値の間には、図３に示すようにヒステリシス（幅）をもたせてある。
【００２１】
図４は、本実施の形態に係る、メモリバッファでのニアフル検知、ニアフル解除の動作の手順を示すフローチャートである。
まず、原稿の読み取りを開始する。読み取った画像データをメモリに格納し、メモリに格納された画像データをＳＣＳＩコントローラへＤＭＡ転送する（ステップ１０）。その後、メモリ内のニアフルをチェックする（ステップ１１）。その結果ニアフルでなければ（ステップ１１；Ｎ）、ステップ１０に戻り、原稿の読み取り、ＤＭＡ転送を継続する。
一方、ニアフルならば（ステップ１１；Ｙ）、原稿の読み取り停止動作を行う（ステップ１２）。但しこのとき、ＤＭＡ転送は継続する。そして、メモリ内のニアフル解除をチェックする（ステップ１３）。ここで、ニアフル解除なら（ステップ１３；Ｙ）、ステップ１１に戻り、ニアフル解除でないならば（ステップ１３；Ｎ）、ステップ１３に戻る。
【００２２】
ここで、メモリバッファのニアフル解除アドレスの設定をケースに応じて、下記の要領で行なうこととする。
メモリバッファのニアフル解除アドレスの設定をモーターのスルーアップ中にメモリバッファに入ってくる画像データ量の大小に影響を与える読み取りパラメータから計算により求める。
また、モーターのスルーアップ中にメモリバッファに入ってくる画像データ量の大小はスルーアップ中の読み取りライン数が固定である場合には、読み取り幅に影響を受ける。即ち、読み取り幅が大きい方が、小さい時より、モーターのスルーアップ中にメモリバッファに入ってくる画像データは多くなる。従って、メモリバッファのニアフル解除アドレスの設定を読み取り幅データ数（ｗｉｄｔｈ）に比例させて設定する。
【００２３】
さらに、モーターのスルーアップ中にメモリバッファに入ってくる画像データ量の大小は読み取り幅データ数が固定である場合には、スルーアップ中の読み取りライン数に影響を受ける。即ち、読み取り密度が大きい方が、小さい時より、モーターのスルーアップ中にメモリバッファに入ってくる画像データは多くなる。従って、メモリバッファのニアフル解除アドレスの設定を読み取り密度（ｄｐｉ）に比例させて設定する。
また、モーターのスルーアップ中にメモリバッファに入ってくる画像データ量の大小は読み取り幅データ数が固定である場合には、スルーアップ中の読み取りライン数に影響を受ける。そこで、モーターの特性により読み取りモードが、ＡＤＦであるか、Ｆｌａｔｂｅｄであるかによって、スルーアップ中の読み取りライン数が違い、モーターのスルーアップ中にメモリバッファに入ってくる画像データも違ってくる。よって、メモリバッファのニアフル解除アドレスの設定を読み取りモード（ＡＤＦ，Ｆｌａｔｂｅｄ）によって変えて設定する。
【００２４】
モーターのスルーアップ中にメモリバッファに入ってくる画像データ量の大小はスルーアップ中の読み取りライン数及び読み取り幅が固定である場合には、イメージコンポジションに影響を受ける。つまり１画素（ピクセル）あたり多値は２値の８倍データが大きく、当然、モーターのスルーアップ中にメモリバッファに入ってくる画像データも多くなる。そこで、メモリバッファのニアフル解除アドレスの設定を読み取りイメージコンポジション（２値、多値）に比例させて設定する。
なお、本実施の形態において、外部装置との通信に汎用インターフェースであるＳＣＳＩを用いることができる。これにより、新たに外部装置インターフェースを開発することなく、上記の効果を実現することが出来る。
【００２５】
【発明の効果】
請求項１に記載の発明では、メモリバッファのニアフル検知およびニアフル解除の設定値を読み取りパラメータにより指定するので、メモリバッファを有効に且つ効率良く使用し、一時読み取り停止動作を減らすことにより、画像品質を向上させることができる。
請求項２に記載の発明では、メモリバッファのニアフル検知およびニアフル解除の設定値を読み取り幅データ数（ｗｉｄｔｈ）により指定するので、メモリバッファを有効に且つ効率良く使用し、一時読み取り停止動作を減らすことにより、画像品質を向上させることができる。
【００２６】
請求項３に記載の発明では、メモリバッファのニアフル検知およびニアフル解除の設定値を読み取り密度（ｄｐｉ）により指定するので、メモリバッファを有効に且つ効率良く使用し、一時読み取り停止動作を減らすことにより、画像品質を向上させるこができる。
請求項４に記載の発明では、メモリバッファのニアフル検知およびニアフル解除の設定値をを読み取りモード（ＡＤＦ，Ｆｌａｔｂｅｄ）により指定するので、メモリバッファを有効に且つ効率良く使用し、一時読み取り停止動作を減らすことにより、画像品質を向上させることができる。
【００２７】
請求項５に記載の発明では、メモリバッファのニアフル検知およびニアフル解除の設定値を読み取りイメージコンポジション（２値、多値）により指定するので、メモリバッファを有効に且つ効率良く使用し、一時読み取り停止動作を減らすことにより、画像品質を向上させることができる。
請求項６に記載の発明では、外部装置との通信に汎用インターフェースであるＳＣＳＩを用いているので、新たに外部装置インターフェースを開発することなく、多くの読み取り装置に対して上記請求項１から請求項５に記載の発明の効果を得ることができる。
【図面の簡単な説明】
【図１】本発明の画像読取システムの実施の形態で用いる画像読取装置の全体構成を示す図である。
【図２】本発明の画像読取システムの実施の形態で用いる画像読取装置のブロック図である。
【図３】本実施の形態におけるニアフル検出とニアフル解除の処理を説明する図である。
【図４】本実施の形態に係る、メモリバッファでのニアフル検知、ニアフル解除の動作の手順を示すフローチャートである。
【符号の説明】
１  原稿台ガラス
２  第１ミラー
３  照明ランプ
４  第２ミラー
５  第３ミラー
６  ＣＣＤ
１７  ＳＢＵ
１８  ＭＢＵ
１９  ＡＨＰ
２０  ＳＣＵ
２１  ＳＩＰ３
２３  ＳＩＭＭ
２５  ＣＰＵ
２８  ＩＥＵ
３２  ＲＣＵ
３８  レンズ
【図１】
0003580512.tif 000002
【図２】
0003580512.tif 000003
【図３】
0003580512.tif 000004
【図４】
0003580512.tif 000005